(57)【要約】      （修正有）【課題】別途フックなどを介在させることなく、水切りや乾燥などのために、棒などを利用して容易且つ適切に吊り下げ可能とするスポンジたわしを提供する。【解決手段】スポンジ主体２を納めた袋体３に、吊り下げ用のループ部４を付設してなるスポンジたわし１である。ループ部を、一端をそれぞれ袋体に止着した一対の帯状体の一方５に形成した面ファスナー部の一方に、一対の帯状体の他方６に形成した面ファスナー部の他方を係合させて構成する。【選択図】図４
0003217650.tif 000002
【実用新案登録請求の範囲】
【請求項１】
スポンジ主体を納めた袋体に、吊り下げ用のループ部を付設してなるスポンジたわしであって、
前記ループ部を、一端をそれぞれ前記袋体に止着した一対の帯状体の一方に形成された面ファスナー部の一方に、前記一対の帯状体の他方に形成された前記面ファスナー部の一方と相互係合可能な面ファスナー部の他方を係合させて構成させてなる、スポンジたわし。
【請求項２】
前記面ファスナー部の一方を、前記一対の帯状体の一方における前記一対の帯状体の他方に向き合う側の面に形成させると共に、
前記面ファスナー部の他方を、前記一対の帯状体の他方における前記一対の帯状体の一方に向き合わない側の面に形成させてなる、請求項１に記載のスポンジたわし。
【請求項３】
前記面ファスナー部の一方を、前記一対の帯状体の一方の全長に亘って形成させると共に、
前記面ファスナー部の他方を、前記一対の帯状体の他方の全長に亘って形成させてなる、請求項１又は請求項２に記載のスポンジたわし。
【請求項４】
前記一対の帯状体の一方を面ファスナーテープの一方により形成すると共に、
前記一対の帯状体の他方を前記面ファスナーテープの一方と相互係合可能な面ファスナーテープの他方により形成させてなる、請求項１〜請求項３のいずれか１項に記載のスポンジたわし。
【請求項５】
スポンジ主体を納めた袋体に、吊り下げ用のループ部を付設してなるスポンジたわしであって、
前記ループ部を、一端をそれぞれ前記袋体に止着した一対の帯状体の一方に備えられた雄係合体に、前記一対の帯状体の他方に備えられた前記雄係合体に係合可能な雌係合体を係合させて構成させてなる、スポンジたわし。
【請求項６】
前記雄係合体をスナップボタンの雄とし、前記雌係合体をスナップボタンの雌としてなる、請求項５に記載のスポンジたわし。
【請求項７】
前記袋体の四角形状をなす袋口の第一辺部の中央とこの第一辺部に対向する第二辺部の中央との間に前記一対の帯状体の他端を挟んでこれらを止着させると共に、
止着部の下に前記袋口の第三辺部とこの第三辺部に対向する第四辺部が位置されるように前記袋体の前記袋口側を折り込ませてなる、請求項１〜請求項６のいずれか１項に記載のスポンジたわし。
【考案の詳細な説明】
【技術分野】
【０００１】
この考案は、身体や、各種の物品の洗浄に利用される、スポンジたわしの改良に関する。
【背景技術】
【０００２】
スポンジたわしに紐から構成されるループを付設させたものとして、特許文献１に示されるものがある。特許文献１のものは、前記ループに腕を通すことで、スポンジたわしの不意の落下を防ごうとするものである。このようなループを利用すれば、スポンジたわしを棒などを利用して吊り下げることも可能となるが、ループに棒などを通すことを要するため、棒などとループとの間に別途フックなどを介在させる必要を生じさせる。
【先行技術文献】
【特許文献】
【０００３】
【特許文献１】意匠登録第１４４４４３１号公報
【考案の概要】
【考案が解決しようとする課題】
【０００４】
この考案が解決しようとする主たる問題点は、この種のスポンジたわしを、別途フックなどを介在させることなく、水切りや乾燥などのために、棒などを利用して容易且つ適切に吊り下げ可能とする点にある。
【課題を解決するための手段】
【０００５】
前記課題を達成するために、この考案にあっては、第一の観点から、スポンジたわしを、スポンジ主体を納めた袋体に、吊り下げ用のループ部を付設してなるスポンジたわしであって、
前記ループ部を、一端をそれぞれ前記袋体に止着した一対の帯状体の一方に形成された面ファスナー部の一方に、前記一対の帯状体の他方に形成された前記面ファスナー部の一方と相互係合可能な面ファスナー部の他方を係合させて構成させてなる、ものとした。
【０００６】
前記面ファスナー部の一方を、前記一対の帯状体の一方における前記一対の帯状体の他方に向き合う側の面に形成させると共に、
前記面ファスナー部の他方を、前記一対の帯状体の他方における前記一対の帯状体の一方に向き合わない側の面に形成させるようにすることが、この考案の態様の一つとされる。
【０００７】
また、前記面ファスナー部の一方を、前記一対の帯状体の一方の全長に亘って形成させると共に、
前記面ファスナー部の他方を、前記一対の帯状体の他方の全長に亘って形成させるようにすることが、この考案の態様の一つとされる。
【０００８】
また、前記一対の帯状体の一方を面ファスナーテープの一方により形成すると共に、
前記一対の帯状体の他方を前記面ファスナーテープの一方と相互係合可能な面ファスナーテープの他方により形成させるようにすることが、この考案の態様の一つとされる。
【０００９】
また、前記課題を達成するために、この考案にあっては、第二の観点から、スポンジたわしを、スポンジ主体を納めた袋体に、吊り下げ用のループ部を付設してなるスポンジたわしであって、
前記ループ部を、一端をそれぞれ前記袋体に止着した一対の帯状体の一方に備えられた雄係合体に、前記一対の帯状体の他方に備えられた前記雄係合体に係合可能な雌係合体を係合させて構成させてなる、ものとした。
【００１０】
前記第二の観点にかかるスポンジたわしにあっては、前記雄係合体をスナップボタンの雄とし、前記雌係合体をスナップボタンの雌とすることが、この考案の態様の一つとされる。
【００１１】
また、前記第一の観点にかかるスポンジたわし、および、第二の観点にかかるスポンジたわしにおいて、前記袋体の四角形状をなす袋口の第一辺部の中央とこの第一辺部に対向する第二辺部の中央との間に前記一対の帯状体の他端を挟んでこれらを止着させると共に、
止着部の下に前記袋口の第三辺部とこの第三辺部に対向する第四辺部が位置されるように前記袋体の前記袋口側を折り込ませるようにすることが、この考案の態様の一つとされる。
【考案の効果】
【００１２】
この考案によれば、一対の帯状体の一方と他方との係合を解いて一対の帯状体間に棒などを位置させるようにした後、一対の帯状体の一方と他方とを係合させることにより、前記棒などを前記一対の帯状体から構成するループ部に通した状態を作り出すことができ、別途フックなどを介在させることなく、水切りや乾燥などのために、棒などに容易且つ適切にスポンジたわしを吊り下げさせることができる。
【図面の簡単な説明】
【００１３】
【図１】図１は、この考案の一実施の形態にかかるスポンジたわしの分解斜視図である。
【図２】図２は、前記スポンジたわしの斜視図である。
【図３】図３は、前記スポンジたわしの斜視図であり、ループ部を形成させた状態を示している。
【図４】図４は、前記スポンジたわしの使用状態を示した要部破断側面図である。
【図５】図５は、図１〜図４に示される例の構成の一部変更例に係るスポンジたわしの斜視図である。
【考案を実施するための形態】
【００１４】
以下、図１〜図５に基づいて、この考案の典型的な実施の形態について、説明する。この考案にかかるスポンジたわし１は、身体や、各種の物品の洗浄に利用されるものである。かかるスポンジたわし１は、水や洗浄液などの液体に浸すなどすることで液体を保持する機能を備えたスポンジ主体２と、これを納める網状をなす袋体３と、この袋体３に付設されたループ部４とを備えている。スポンジ主体２は、少なくとも前記機能を持つものであれば、その具体的な材質、形状は問われない。スポンジ主体２は、柔軟性を持った多孔質構造体であり、典型的には、合成樹脂の発泡成形体から構成される。袋体３は、少なくとも前記液体を通過させる機能を備えたものであれば足り、その具体的な材質、形状は問われない。典型的には、袋体３は、目の粗い合成繊維の織生地や編生地であって、よごれを擦り落とすことが可能な表面形状を持ったものから構成される。
【００１５】
図示の例は、この考案の一構成例を示すものであり、この考案の内容は図示の例に限定されるものではない。図示の例では、前記スポンジ主体２は、六面体であり、より具体的には、長方形の面のみからなる直方体となっている。前記スポンジ主体２は、長さｘと、幅ｙと、厚さｚを持っている。
【００１６】
前記袋体３は、その袋底３ａから袋口３ｂまでの長さｘを前記スポンジ主体２の長さｘよりもやや長くすると共に、その長さ方向に直交する向きの断面輪郭形状を、スポンジ主体２の長さ方向に直交する向きの断面輪郭形状と実質的に同じ大きさの同一形状とした形態となっている。
【００１７】
一方、前記ループ部４は、一端をそれぞれ前記袋体３に止着した一対の帯状体の一方５に形成された相互係合可能な面ファスナー部の一方５ｃに、前記一対の帯状体の他方６に形成された前記相互係合可能な面ファスナー部の他方６ｃを係合させることで、構成されている。
【００１８】
図示の例では、二カ所にある前記スポンジ主体２の幅ｙ方向に沿った厚さｚ側の側面２ａの一方（図１における上側の側面２ａ）の中央となる位置にそれぞれ、前記袋体３を介して一対の帯状体５、６の一端５ａ、６ａが止着されており、一対の帯状体５、６はこの中央から他端を自由端５ｂ、６ｂとして延び出している。
【００１９】
具体的には、スポンジ主体２は、袋体３に対し、その袋口３ｂからスポンジ主体２の幅ｙ方向に沿った厚さｚ側の側面２ａの他方（図１における下側の側面２ａ）を先にして納められている。そして、袋底３ａにスポンジ主体２の幅ｙ方向に沿った厚さｚ側の側面２ａの他方が接した状態において、スポンジ主体２の幅ｙ方向に沿った厚さｚ側の側面２ａの一方よりも袋口３ｂがやや外方に位置されるようになっている。
【００２０】
この実施の形態にあっては、このように袋体３内にスポンジ主体２を納めた状態から、前記袋体３の四角形状をなす袋口３ｂにおけるスポンジ主体２の幅ｙ方向に沿った側となる第一辺部３ｃの中央とこの第一辺部３ｃに対向する第二辺部３ｄの中央との間に前記一対の帯状体５、６の他端を挟んでこれらを止着させて、スポンジ主体２の幅ｙ方向に沿った厚さｚ側の側面２ａの一方側にループ部４を備えさせている。
【００２１】
それと共に、この実施の形態にあっては、前記止着によって形成される止着部７の下に前記袋口３ｂにおけるスポンジ主体２の厚さｚ方向に沿った側となる第三辺部３ｅとこの第三辺部３ｅに対向する第四辺部３ｆが入り込むように前記袋体３の前記袋口３ｂ側を折り込ませている。
【００２２】
具体的には、図示の例では、止着部７は、第一辺部３ｃ及び第二辺部３ｄと平行をなす線状で、かつ、第一辺部３ｃ及び第二辺部３ｄの長さの実質的に三分の一となる長さをもって形成されている。かかる止着は、典型的には、縫着か、溶着によってなされる。そして、図示の例では、このように形成される止着部７の下に、この止着部７と、スポンジ主体２の角２ｂとの間に四カ所の折り線３ｇが形成されるようにして前記袋口３ｂの第三辺部３ｅ側と第四辺部３ｆ側を折り込ませている。
【００２３】
また、この実施の形態にあっては、前記相互係合可能な面ファスナー部の一方５ｃを、前記一対の帯状体の一方５（以下、第一帯状体５と称する。）における前記一対の帯状体の他方６（以下、第二帯状体６と称する。）に向き合う側の面５ｄに形成させると共に、前記相互係合可能な面ファスナー部の他方６ｃを、前記第二帯状体６における前記第一帯状体５に向き合わない側の面６ｄに形成させている。
【００２４】
これにより、この実施の形態にあっては、図４に示されるように、自由端６ｂ側を棒８などの上端にかけるように湾曲させた第二帯状体６の上に、第一帯状体５の自由端５ｂ側をかぶせるようにすることで、前記相互係合可能な面ファスナー部５ｃ、６ｃ同士を係合させて内側に前記棒８などを通したループ部４を形成させることができ、これにより、前記棒８などにループ部４を介して容易且つ適切にスポンジたわし１を吊り下げることができるようになっている。
【００２５】
図示の例では、相互係合可能な面ファスナー部の一方５ｃは、第一帯状体５の全長に亘って形成されており、相互係合可能な面ファスナー部の他方６ｃは、第二帯状体６の全長に亘って形成されている。これにより、前記ループ部４の内径は所望の大きさに調整可能である。また、図示の例では、第一帯状体５は相互係合可能な面ファスナーテープの一方を所定の長さに裁断することで形成され、第二帯状体６は相互係合可能な面ファスナーテープの他方を所望の長さに裁断することで形成されており、前記ループ部４を簡素且つ低廉に構成できるように工夫されている。
【００２６】
図５は、前記ループ部４を、一端をそれぞれ前記袋体３に止着した一対の帯状体の一方５に備えられた雄係合体５ｅに、前記一対の帯状体の他方６に備えられた前記雄係合体５ｅに係合可能な雌係合体６ｅを係合させて構成させるようにした例を示している。
【００２７】
図５に示される例では、前記雄係合体５ｅをスナップボタンの雄５ｆとし、前記雌係合体６ｅをスナップボタンの雌６ｆとしている。スナップボタンの雄５ｆは、第一帯状体５の自由端５ｂよりもやや下方に設けられ、スナップボタンの雌６ｆも第二帯状体６の自由端６ｂよりもやや下方に設けられている。
【００２８】
図５に示される例のその余の構成は、図１〜図４に示される例と実質的に同一であるので、実質的に同一の構成部分については図１〜図４に用いた符号を図５に付してその説明を省略する。
【００２９】
なお、当然のことながら、本考案は以上に説明した実施態様に限定されるものではなく、本考案の目的を達成し得るすべての実施態様を含むものである。
【符号の説明】
【００３０】
１  スポンジたわし
２  スポンジ主体
３  袋体
４  ループ部
５  帯状体
５ｃ  面ファスナー部
６  帯状体
６ｃ  面ファスナー部
【図１】
0003217650.tif 000003
【図２】
0003217650.tif 000004
【図３】
0003217650.tif 000005
【図４】
0003217650.tif 000006
【図５】
0003217650.tif 000007